(57)【要約】【課題】耕耘部のリヤカバーのウェイトによる変形を抑えることができる耕耘作業機を提供する。【解決手段】耕耘作業機は、回転耕耘爪(３)と、その耕耘幅について均平するリヤカバー(４)とからなる耕耘部(Ｗ)を備えて均平整地走行可能に構成され、前記リヤカバー(４)は、その前端を前記耕耘幅方向のリヤカバー回動軸(４ａ)によって軸支するとともに、分散配置の複数の取付部(５…)を備えて横長構成のウェイト部(６)を前記耕耘幅方向に亘って取付けたことから、リヤカバー(４)は、横長形状のウェイト部(６)によって均平荷重と剛性が共に増加することから、ウェイト部(６)の取り付けによる荷重の増加によっても、リヤカバー(４)の変形の抑制を可能とするものである。【選択図】図２
2018143151.tif 000002
【特許請求の範囲】
【請求項１】
回転耕耘爪(３)と、その耕耘幅について均平するリヤカバー(４)とからなる耕耘部(Ｗ)を備えて均平整地走行する耕耘作業機において、
前記リヤカバー(４)は、その前端を前記耕耘幅方向のリヤカバー回動軸(４ａ)によって軸支するとともに、分散配置の複数の取付部(５…)を備えて横長構成のウェイト部(６)を前記耕耘幅方向に亘って取付けたことを特徴とする耕耘作業機。
【請求項２】
前記複数の取付部(５…)は、前記ウェイト部(６)を複数姿勢に付替え可能に互換構成してなることを特徴とする請求項１記載の耕耘作業機。
【請求項３】
前記ウェイト部(６)は、棒状材によって構成するともに、その両側端部に外嵌装着可能なパイプ材による追加ウェイト(７ａ，７ａ)を備えることを特徴とする請求項１または請求項２に記載の耕耘作業機。
【請求項４】
前記ウェイト部(６)は、パイプ材によって構成し、その中空部内に内嵌装着可能な追加ウェイト(７ｂ)を備えることを特徴とする請求項１から請求項３のいずれかに記載の耕耘作業機。
【発明の詳細な説明】
【技術分野】
【０００１】
本発明は、回転耕耘爪による耕耘部に整地カバーを備えて均平整地する耕耘作業機に関するものである。
【背景技術】
【０００２】
回転耕耘爪による耕耘部を備える耕耘作業機において、耕耘爪の上周部を覆う耕耘カバーの後部にリヤカバーを上下回動自在に備え、このリヤカバーの下端縁を耕耘土壌面に接圧して均平する場合に、このリヤカバーの上面に沿って均平ウェイトを上下移動調節可能に取付けることにより、耕耘深さの変化によっても均平圧の大きな変化させないようにした耕耘作業機が公知である（先行文献１）。
【先行技術文献】
【特許文献】
【０００３】
【特許文献１】特開平１０−１０８５０２号公報
【発明の概要】
【発明が解決しようとする課題】
【０００４】
しかしながら、上記の構成ではウェイトをリヤカバーの中央付近の左右にそれぞれ取り付けるため、ウェイトによる大きな集中荷重がリヤカバーに加わってリヤカバーの変形を招くという課題を有していた。
【０００５】
本発明は、耕耘部のリヤカバーのウェイトによる変形を抑えることができる耕耘作業機を提供する。
【課題を解決するための手段】
【０００６】
請求項１に係る発明は、回転耕耘爪(３)と、その耕耘幅について均平するリヤカバー(４)とからなる耕耘部(Ｗ)を備えて均平整地走行する耕耘作業機において、前記リヤカバー(４)は、その前端を前記耕耘幅方向のリヤカバー回動軸(４ａ)によって軸支するとともに、分散配置の複数の取付部(５…)を備えて横長構成のウェイト部(６)を前記耕耘幅方向に亘って取付けたことを特徴とする。
【０００７】
請求項２に係る発明は、請求項１に係る発明において、前記複数の取付部(５…)は、前記ウェイト部(６)を複数姿勢に付替え可能に互換構成してなることを特徴とする。
【０００８】
請求項３に係る発明は、請求項１または２に係る発明において、前記ウェイト部(６)は、棒状材によって構成するともに、その両側端部に外嵌装着可能なパイプ材による追加ウェイト(７ａ)を備えることを特徴とする。
【０００９】
請求項４に係る発明は、請求項１から請求項３のいずれかに係る発明において、前記ウェイト部(６)は、パイプ材によって構成し、その中空部内に内嵌装着可能な追加ウェイト(７ｂ)を備えることを特徴とする。
【発明の効果】
【００１０】
請求項１に係る発明は、耕耘作業機の耕耘走行により、回転耕耘爪(３)が耕耘しつつ、その耕耘幅についてリヤカバー(４)が先端のリヤカバー回動軸(４ａ)周りに上下回動可能に均平整地し、このとき、リヤカバー(４)は、分散配置の複数の取付部(５…)によって耕耘幅方向に亘って取付けた横長形状のウェイト部(６)によって均平荷重と剛性が共に増加することから、リヤカバー(４)は、ウェイト部(６)の取り付けによる荷重の増加によっても、変形を抑制することができる。
【００１１】
請求項２に係る発明は、請求項１に係る発明の効果に加え、互換構成の複数の取付部(５…)によってウェイト部(６)を複数姿勢に付替えができるので、ウェイト部(６)の姿勢に応じてリヤカバー(４)の均平荷重の調節が可能となる。
【００１２】
請求項３に係る発明は、請求項１または２に係る発明の効果に加え、棒状部材によるウェイト部(６)の両側端部に追加ウェイト(７ａ)を外嵌装着することによって加重の調整を容易に行うことができる。
【００１３】
請求項４に係る発明は、請求項１から請求項３のいずれかに係る発明の効果に加え、追加ウェイト(７ｂ)をパイプ材によるウェイト部(６)の中空部内に内嵌装着することによって加重の調整を容易に行うことができる。
【図面の簡単な説明】
【００１４】
【図１】整地機の側面図（ａ）と要部拡大側面図（ｂ）
【図２】耕耘部のリヤカバーの背面図（ａ）と側面図（ｂ）
【図３】取付部の拡大背面図（ａ）と拡大側面図（ｂ）
【図４】ウェイト部の取付け斜視図
【図５】ウェイト追加例１の分解斜視図（ａ）と構成斜視図（ｂ）
【図６】ウェイト追加例２の分解斜視図（ａ）と構成斜視図（ｂ）
【図７】分割式ウェイト部の斜視図
【図８】共用ブラケットの基本構成、長尺追加、短尺追加の斜視図（ａ〜ｃ）
【図９】複層型ウェイトの分解斜視図
【発明を実施するための形態】
【００１５】
上記技術思想に基づいて具体的に構成された実施の形態について、以下に図面を参照しつつ説明する。なお、説明においては、整地機の前進方向に向かって前後、左右という。
【００１６】
本発明に係る耕耘作業機である整地機１は、その側面図を図１（ａ）に示すように、トラクタＴ等の後部ヒッチＨに昇降可能に耕耘部Ｗを連結して構成され、この耕耘部Ｗは、回転耕耘爪３と均平整地用のリヤカバー４とを備え、リヤカバー４の後端部には、要部拡大側面図を図１（ｂ）に示すように、取付部５を設けてウェイト部６を固定する。
【００１７】
詳細には、リヤカバー４は、その背面図（ａ）と側面図（ｂ）を図２に示すように、その先端部を耕耘部Ｗの耕運幅方向に設けたリヤカバー回動軸４ａによって上下回動可能に軸支し、後端部を均平整地可能に構成するとともに、均平荷重を確保するために、複数の取付部５…を設けてウェイト部６を固定可能に構成する。
【００１８】
整地機１の耕耘走行時は、耕耘部Ｗは、回転耕耘爪３によって耕耘しつつ、耕耘幅についてリヤカバー４がウェイト部６の荷重を受けて均平整地することができる。したがって、ヒッチＨのプレッシャロッドによってリヤカバー４を加圧していても、自動耕深制御の作動によってリヤカバー４が上昇した場合でも、リヤカバー４にウェイト部６の荷重が作用して均平圧が確保されて耕耘整地走行を継続することができる。
【００１９】
（取付部）
次に、ウェイト部６の取付けについて説明すると、その拡大背面図（ａ）と拡大側面図（ｂ）を図３に示すように、Ｕ字部材５ａに２つのウェルドナット５ｂ，５ｂを設けた取付部５をリヤカバー４にピン固定して着脱可能に左右のブラケットを構成する。これら両ブラケットと対応して、丸棒材によるウェイト部６の左右位置にＬ型金具６ａ，６ａを一体に設けてボルト固定可能に構成する。
【００２０】
ウェイト部６は、ブラケット部にボルト止めなので、取り外して各種のウェイト部の取付けが可能となり、また、ブラケット部が取外し可能なことから各種のロータリ耕耘部に使用することができる。さらに、リヤカバー４にピンとスナップピンでブラケット部を取外し可能に構成することにより、ウェイト部の取付け斜視図を図４に示すように、リヤカバーウェイト一式を容易に取外すことができる。
【００２１】
このように、ウェイト部６は、ボルト止めなので、リヤカバー４にブラケットを残したままでウェイト部６のみの交換が可能となり、取付部５は、ピン固定で取外し可能なことから、リヤカバーウェイト一式を上下反対にも取付けることができるので、作業姿勢に合わせウェイト位置の選択が可能となる。
【００２２】
また、ウェイト部６は、長さをコーナカバーより短く構成することにより、ウェイトを取付けたままでコーナカバーの取外しが可能となり、さらに、ウェイト部６を丸棒材によって構成することにより、取外したときにウェイト本体が持ちやすくなり、耕耘時においても、土や埃が溜まりにくくなる。
【００２３】
（ウェイト調節）
次に、ウェイト追加例１の分解斜視図（ａ）と構成斜視図（ｂ）を図５に示すように、ウェイト部６の両端にパイプ材による追加ウェイト７ａ，７ａを外嵌装着し、抜け止め付きピンで固定することで、ウェイト調節が可能となる。
【００２４】
また、ウェイト追加例２の分解斜視図（ａ）と構成斜視図（ｂ）を図６に示すように、パイプ材によるウェイト部６の中空部に追加ウェイト７ｂを内嵌装着し、抜け止め付きピンで固定することで、ウェイト調節が可能となる。
【００２５】
（センタカバー）
横長のウェイト部６をリヤカバー４に取付けた場合は、ウェイト部６が邪魔になってセンタカバー４ｂを外せないので、分割式ウェイト部の斜視図を図７に示すように、ウェイト部６を左右分割構成することで、ウェイト部６を取付けたままで、センタカバー４ｂを外すことができる。
【００２６】
（共用ブラケット）
次に、共用ブラケットについて説明すると、その基本構成、長短ウェイト追加の斜視図を図８（ａ〜ｃ）に示すように、基本となるウェイト部６をリヤカバー４に取付ける左右配置の共用ブラケット８，８に、追加ウェイトを一括取付け可能に構成し、長尺の追加ウェイト７ｃまたは左右分割の短尺の追加ウェイト７ｄ，７ｄを取付けることによってウェイト調節が可能となる。
【００２７】
（複層型ウェイト）
次に、複層型ウェイトについて説明すると、その分解斜視図を図９に示すように、ブラケット５に取付ける金具９ａを左右に備えたウェイト本体９に細板状の追加ウェイト１０…を多段に重ねてボルト固定することにより、必要に応じたウェイト調節が可能となる。
【００２８】
（構成上の要点）
上記構成の整地作業機について構成上の要点をまとめると、以下のとおりである。
リヤカバー４は、その前端を耕耘幅方向のリヤカバー回動軸４ａによって軸支するとともに、分散配置の複数の取付部５…を備えて横長構成のウェイト部６を耕耘幅方向に亘って取付けたことから、均平荷重と剛性が共に増加することとなり、リヤカバー４は、ウェイト部６の取り付けによる荷重の増加によっても、変形を抑制することができる。
【００２９】
複数の取付部５…は、ウェイト部６を複数姿勢に付替え可能に互換構成したことから、ウェイト部６の姿勢に応じてリヤカバー４の均平荷重の調節が可能となる。
【００３０】
ウェイト部６は、棒状材によって構成し、その両側端部に外嵌装着可能なパイプ材による追加ウェイト７ａ，７ａを備えることから、追加ウェイト７ａを外嵌装着することによって加重の調整を容易に行うことができる。
【００３１】
ウェイト部６は、パイプ材によって構成し、その中空部内に内嵌装着可能な追加ウェイト７ｂを備えることから、追加ウェイト７ｂをウェイト部６の中空部内に内嵌装着することによって加重の調整を容易に行うことができる。
【符号の説明】
【００３２】
１      整地機（耕耘作業機）
３      回転耕耘爪
４      リヤカバー
４ａ    リヤカバー回動軸
５      取付部
６      ウェイト部
７ａ    追加ウェイト
７ｂ    追加ウェイト
Ｗ      耕耘部
【図１】
2018143151.tif 000003
【図２】
2018143151.tif 000004
【図３】
2018143151.tif 000005
【図４】
2018143151.tif 000006
【図５】
2018143151.tif 000007
【図６】
2018143151.tif 000008
【図７】
2018143151.tif 000009
【図８】
2018143151.tif 000010
【図９】
2018143151.tif 000011